【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
長骨骨折の安定性を提供するための長骨インプラントであって、前記インプラントは、
骨の縦軸と実質的に平行に位置付けられるように構成されたモノリシックな細長い部材であって、前記モノリシックな細長い部材は、遠位端と、近位端と、縦軸とを備えている、モノリシックな細長い部材と、
一緒に結合された骨構成要素と係止構成要素とを備えている係止ねじ機構であって、前記係止ねじ機構は、前記モノリシックな細長い部材の前記近位端を受け取るように構成されている、係止ねじ機構と
を備え、前記骨構成要素は、カニューレを挿入されるねじを備えており、前記ねじは、前記モノリシックな細長い部材を受け取るように構成され、固定のために前記骨とねじ式で係合するように構成され、
前記遠位端は、半径方向により広くなるように拡張可能である遠位先端を備え、前記遠位先端は、前記骨に係合し、前記遠位端を定着させるように構成され、
前記係止ねじ機構は、前記モノリシックな細長い部材を前記骨に固定するように構成される、
インプラント。
【請求項２】
前記モノリシックな細長い部材は、曲げ可能、拡張可能、および緊張可能なニチノール拡張可能部材から形成されている、請求項１に記載のインプラント。
【請求項３】
前記骨構成要素および係止構成要素は、ねじ式で係合するように構成されている、請求項１に記載のインプラント。
【請求項４】
前記骨構成要素は、前記係止構成要素と篏合しかつ前記係止構成要素を圧縮するように構成された形状の内部カニューレ挿入管を備えている、請求項１に記載のインプラント。
【請求項５】
前記内部カニューレ挿入管は、内向きにテーパ状である、請求項４に記載のインプラント。
【請求項６】
前記内部カニューレ挿入管は、タブ特徴を備えている、請求項４に記載のインプラント。
【請求項７】
長骨骨折の安定性を提供するための長骨インプラントであって、前記インプラントは、
骨の縦軸と実質的に平行に位置付けられるように構成されたモノリシックな細長い部材であって、前記モノリシックな細長い部材は、遠位端と、近位端と、縦軸とを備えている、モノリシックな細長い部材と、
一緒に結合された骨構成要素と係止構成要素とを備えている係止ねじ機構であって、前記係止ねじ機構は、前記モノリシックな細長い部材の前記近位端を受け取るように構成されている、係止ねじ機構と
を備え、前記骨構成要素は、前記骨に係合するように構成され、
前記遠位端は、半径方向により広くなるように拡張可能である遠位先端を備え、前記遠位先端は、前記骨に係合し、前記遠位端を定着させるように構成され、
前記係止構成要素は、前記骨構成要素の内側に嵌まるように構成され、前記係止構成要素は、前記モノリシックな細長い部材を受け取るためにカニューレを挿入され、
前記係止ねじ機構は、前記モノリシックな細長い部材を前記骨に固定するように構成される、インプラント。
【請求項８】
前記係止構成要素は、１つ以上の把持特徴を備え、前記１つ以上の把持特徴は、前記骨構成要素の内部カニューレ挿入管と相互作用し、前記係止構成要素が狭くなり、前記モノリシックな細長い部材を把持することを引き起こすように構成されている、請求項７に記載のインプラント。
【請求項９】
前記把持特徴は、前記係止構成要素の周りに円周方向に構成されているタブを備えている、請求項８に記載のインプラント。
【請求項１０】
前記把持特徴は、前記係止構成要素本体から主軸と平行に延びているタンを備え、前記タンは、前記係止構成要素の周りに円周方向に構成されている、請求項８に記載のインプラント。
【請求項１１】
前記モノリシックな細長い部材の遠位端は、拡張状態と、非拡張状態とを有する、請求項１に記載のインプラント。
【請求項１２】
前記モノリシックな細長い部材の遠位端は、自然にその拡張状態にあり、前記細長い部材の遠位端は、拡張が抑止された状態で埋め込まれる、請求項１に記載のインプラント。
【請求項１３】
前記モノリシックな細長い部材の遠位端は、自然にその非拡張状態にある、請求項１に記載のインプラント。
【請求項１４】
前記モノリシックな細長い部材の遠位端は、手動で拡張可能である、請求項１に記載のインプラント。
【請求項１５】
前記モノリシックな細長い部材は、前記遠位先端における隣接したアーム間にスライド可能に配置されたピンを用いて拡張され、前記ピンの作動は、互いから離れるように前記アームを拡張することにより、前記遠位先端を拡張する、請求項１４に記載のインプラント。
【請求項１６】
前記モノリシックな細長い部材の遠位端は、形状記憶材料を備え、前記形状記憶材料は、前記材料の温度性質を通して拡張される、請求項１に記載のインプラント。
【請求項１７】
前記モノリシックな細長い部材は、前記遠位端から近位に延びている１つ以上の貫通スロットを備え、前記１つ以上の貫通スロットは、弓形形状に曲がることができる２つ以上のアームを形成するように構成されている、請求項１に記載のインプラント。
【請求項１８】
前記２つ以上のアームは、向上した骨固定のために１つ以上の溝を備えている、請求項１７に記載のインプラント。
【請求項１９】
前記モノリシックな細長い部材の遠位端は、前記モノリシックな細長い部材の長さに沿った任意の点および前記モノリシックな細長い部材の周りに円周における任意の点における１つ以上の切り抜きを備え、前記１つ以上の切り抜きは、弓形形状に曲がることができる１つ以上の延長された部分を形成するように構成されている、請求項１に記載のインプラント。
【請求項２０】
前記延びている部分は、向上した骨固定のために１つ以上の溝を備えている、請求項１９に記載のインプラント。
【請求項２１】
前記モノリシックな細長い部材の遠位端は、曲線形状に構成されている、請求項１に記載のインプラント。
【請求項２２】
前記遠位端は、円形形状に構成されている、請求項２１に記載のインプラント。
【請求項２３】
前記遠位端は、蛇行した正弦曲線形状に構成されている、請求項２１に記載のインプラント。
【請求項２４】
前記遠位端は、湾曲またはＪ字形状に構成されている、請求項２１に記載のインプラント。
【請求項２５】
前記モノリシックな細長い部材の遠位端は、円錐形状に拡張される半径方向に拡張可能なコイルを備えている、請求項１に記載のインプラント。
【請求項２６】
前記モノリシックな細長い部材は、前記モノリシックな細長い部材の長さを調節するために縦方向に拡張可能かつ短縮可能であり、それによって、前記遠位端と近位端とを互いに向かって内向きに引き寄せ、骨折整復を補助する、請求項１に記載のインプラント。
【請求項２７】
前記モノリシックな細長い部材は、その中心に沿った縦方向スロットを備え、前記縦方向スロットは、中心部分が半径方向外向きに拡張し、前記近位端と遠位端とを引き込むことを可能にする、請求項２６に記載のインプラント。
【請求項２８】
前記モノリシックな細長い部材は、その縦軸に沿って配置された１つ以上の拡張部材を備えている、請求項１に記載のインプラント。
【請求項２９】
前記拡張部材の各々は、近位または遠位に面する弓形形状に拡張することができる、請求項２８に記載のインプラント。
【請求項３０】
前記係止構成要素は、１つ以上の把持特徴を備え、前記１つ以上の把持特徴は、前記骨構成要素の内側カニューレ挿入管と相互作用し、前記係止構成要素が狭くなり、前記モノリシックな細長い部材を把持することを引き起こすように構成されている、請求項１に記載のインプラント。
【請求項３１】
前記把持特徴は、前記係止構成要素の周りに円周方向に構成されているタブを備えている、請求項３０に記載のインプラント。
【請求項３２】
前記把持特徴は、前記係止構成要素本体から主軸と平行に延びているタンを備え、前記タンは、前記係止構成要素の周りに円周方向に構成される、請求項３０に記載のインプラント。
【請求項３３】
前記モノリシックな細長い部材は、曲げ可能、拡張可能、および緊張可能なニチノール拡張可能部材から形成されている、請求項７に記載のインプラント。
【請求項３４】
前記骨構成要素および前記係止構成要素は、ねじ式に係合するように構成される、請求項７に記載のインプラント。
【請求項３５】
前記骨構成要素は、カニューレを挿入されるねじを備え、前記ねじは、前記モノリシックな細長い部材を受け取るように構成され、前記ねじは、固定のために前記骨とねじ式で係合する、請求項７に記載のインプラント。
【請求項３６】
前記骨構成要素は、前記係止構成要素と篏合しかつ前記係止構成要素を圧縮するように構成された形状の内部カニューレ挿入管を備えている、請求項７に記載のインプラント。
【請求項３７】
前記内部カニューレ挿入管は、内向きにテーパ状である、請求項３６に記載のインプラント。
【請求項３８】
前記内部カニューレ挿入管は、タブ特徴を備えている、請求項３６に記載のインプラント。
【請求項３９】
前記モノリシックな細長い部材の遠位端は、拡張状態と、非拡張状態とを有する、請求項７に記載のインプラント。
【請求項４０】
前記モノリシックな細長い部材の遠位端は、自然にその拡張状態にあり、前記モノリシックな細長い部材の遠位端は、拡張が抑止された状態で埋め込まれる、請求項７に記載のインプラント。
【請求項４１】
前記モノリシックな細長い部材の遠位端は、自然にその非拡張状態にある、請求項７に記載のインプラント。
【請求項４２】
前記モノリシックな細長い部材の遠位端は、手動で拡張可能である、請求項７に記載のインプラント。
【請求項４３】
前記モノリシックな細長い部材は、前記遠位先端における隣接したアーム間にスライド可能に配置されたピンを用いて拡張され、前記ピンの作動は、互いから離れるように前記アームを拡張することにより、前記遠位先端を拡張する、請求項４２に記載のインプラント。
【請求項４４】
前記モノリシックな細長い部材の遠位端は、形状記憶材料を備え、前記形状記憶材料は、前記材料の温度性質を通して拡張される、請求項７に記載のインプラント。
【請求項４５】
前記モノリシックな細長い部材は、前記遠位端から近位に延びている１つ以上の貫通スロットを備え、前記１つ以上の貫通スロットは、弓形形状に曲がることができる２つ以上のアームを形成するように構成されている、請求項７に記載のインプラント。
【請求項４６】
前記２つ以上のアームは、向上した骨固定のために１つ以上の溝を備えている、請求項４５に記載のインプラント。
【請求項４７】
前記モノリシックな細長い部材の遠位端は、前記モノリシックな細長い部材の長さに沿った任意の点および前記モノリシックな細長い部材の周りに円周における任意の点における１つ以上の切り抜きを備え、前記１つ以上の切り抜きは、弓形形状に曲がることができる１つ以上の延長された部分を形成するように構成されている、請求項７に記載のインプラント。
【請求項４８】
前記延びている部分は、向上した骨固定のために１つ以上の溝を備えている、請求項４７に記載のインプラント。
【請求項４９】
前記モノリシックな細長い部材の遠位端は、曲線形状に構成されている、請求項７に記載のインプラント。
【請求項５０】
前記遠位端は、円形形状に構成されている、請求項４９に記載のインプラント。
【請求項５１】
前記遠位端は、蛇行した正弦曲線形状に構成されている、請求項４９に記載のインプラント。
【請求項５２】
前記遠位端は、湾曲またはＪ字形状に構成されている、請求項４９に記載のインプラント。
【請求項５３】
前記モノリシックな細長い部材の遠位端は、円錐形状に拡張される半径方向に拡張可能なコイルを備えている、請求項７に記載のインプラント。
【請求項５４】
前記モノリシックな細長い部材は、前記モノリシックな細長い部材の長さを調節するために縦方向に拡張可能かつ短縮可能であり、それによって、前記遠位端と近位端とを互いに向かって内向きに引き寄せ、骨折整復を補助する、請求項７に記載のインプラント。
【請求項５５】
前記モノリシックな細長い部材は、その中心に沿った縦方向スロットを備え、前記縦方向スロットは、中心部分が半径方向外向きに拡張し、前記近位端と遠位端とを引き込むことを可能にする、請求項５４に記載のインプラント。
【請求項５６】
前記モノリシックな細長い部材は、その縦軸に沿って配置された１つ以上の拡張部材を備えている、請求項７に記載のインプラント。
【請求項５７】
前記拡張部材の各々は、近位または遠位に面する弓形形状に拡張することができる、請求項５６に記載のインプラント。
【請求項５８】
前記骨構成要素は、ドライバと係合するように構成されたスロットを備えている、請求項１に記載のインプラント。
【請求項５９】
前記骨構成要素は、ドライバと係合するように構成されたスロットを備えている、請求項７に記載のインプラント。
【請求項６０】
前記係止構成要素は、ドライバと係合するように構成されたソケットを備えている、請求項１に記載のインプラント。
【請求項６１】
前記係止構成要素は、ドライバと係合するように構成されたソケットを備えている、請求項７に記載のインプラント。
【手続補正２】
【補正対象書類名】明細書
【補正対象項目名】００２５
【補正方法】変更
【補正の内容】
【００２５】
これらおよび他の実施形態は、添付の図面に関連する以下の説明でさらに詳細に説明される。
本発明は、例えば、以下を提供する。
（項目１）
長骨骨折の安定性を提供するための長骨インプラントであって、前記インプラントは、
前記骨の縦軸と実質的に平行に位置付けられるように構成された細長い部材を備え、前記細長い部材は、遠位端と、近位端と、縦軸とを備え、
前記遠位端は、半径方向により広くなるように拡張可能である遠位先端を備え、前記遠位先端は、前記骨に係合し、前記遠位端を定着させるように構成され、
前記近位端は、前記細長い部材を前記骨に固定するように構成された係止機構を備えている、
インプラント。
（項目２）
前記細長い部材は、曲げ可能、拡張可能、および緊張可能なニチノール拡張可能部材から形成されている、項目１に記載のインプラント。
（項目３）
前記係止機構は、第１のプレートを備え、前記第１のプレートは、前記細長い部材が前記骨の表面にクランプ締めされるように、前記骨の前記近位端の外面に隣接して取り付けられるように構成されている、項目１に記載のインプラント。
（項目４）
前記係止機構の前記第１のプレートは、下面上の陥凹と、前記第１のプレートの中に配置された２つ以上の貫通孔とをさらに備え、前記２つ以上の貫通孔は、骨ねじを受け取るように構成されている、項目３に記載のインプラント。
（項目５）
前記第１のプレートは、前記陥凹が前記細長い部材を受け取り、前記第１のプレートが前記骨の外面に固定されるように、前記細長い部材の近位端を覆って設置されるように構成されている、項目４に記載のインプラント。
（項目６）
前記第１のプレートは、追加された回転安定性および平行移動安定性のために、前記細長い部材の近位端を前記骨の外面に固定するように構成されている、項目５に記載のインプラント。
（項目７）
前記係止機構の前記第１のプレートは、前記第１のプレートの中に配置された貫通孔と、前記貫通孔の中に配置されたタンとをさらに備え、前記タンは、前記貫通孔の中心に向かって半径方向内向きに延び、前記タンは、前記細長い部材と係合するように構成されている、項目３に記載のインプラント。
（項目８）
前記細長い部材は、より大きい直径の１つ以上の円周方向ノッチを備えている、項目７に記載のインプラント。
（項目９）
前記細長い部材のノッチは、近位から遠位に前記第１のプレートのタンを自由に通過するが、遠位から近位に通過することを制限されるように構成されている、項目８に記載のインプラント。
（項目１０）
タンを伴う前記第１のプレートは、追加された回転安定性および平行移動安定性のために、前記細長い部材の近位端を前記骨の外面に固定するように構成されている、項目８に記載のインプラント。
（項目１１）
前記係止機構は、第１のプレートと、前記第１のプレートに結合される第２のプレートとを備え、前記第２のプレートは、前記骨の前記近位端の外面に取り付けられるように構成されている、項目１に記載のインプラント。
（項目１２）
前記第１および第２のプレートの各々は、前記細長い部材の近位端を受け取るように構成された角度付き横断貫通孔を備えている、項目１１に記載のインプラント。
（項目１３）
前記第２のプレートは、前記角度付き横断貫通孔の片側に沿ったオフセットスロットを備え、前記オフセットスロットは、減衰効果を提供する、項目１２に記載のインプラント。
（項目１４）
前記第１および第２のプレートは、それらの角度付き横断貫通孔がそれらの開放状態において整列し、前記細長い部材の近位端が自由に通過することを可能にするように構成されている、項目１２に記載のインプラント。
（項目１５）
前記第１および第２のプレートは、それらの角度付き横断貫通孔がそれらの閉鎖状態においてオフセットされ、前記細長い中空部材の移動を制限するように構成されている、項目１２に記載のインプラント。
（項目１６）
前記第１および第２のプレートは、篏合オス型およびメス型レールを備え、前記篏合オス型およびメス型レールは、前記結合されたプレートが１次元において互いに横切ってスライドすることを可能にするように構成されている、項目１２に記載のインプラント。
（項目１７）
前記レールは、前記貫通孔が前記細長い部材に対して剪断力を提供し、前記細長い部材を定位置でクランプ締めするように、前記第２のプレートが前記第１のプレートに対してその開放状態から閉鎖状態までスライドすることを可能にするように構成されている、項目１６に記載のインプラント。
（項目１８）
１つ以上のレールが、係止特徴を備え、前記係止特徴は、前記第１および第２のプレートをそれらの閉鎖状態に維持するように構成されている、項目１６に記載のインプラント。
（項目１９）
前記レールは、ダブテール形状を備えている、項目１８に記載のインプラント。
（項目２０）
前記レール上の前記係止特徴は、ラッチを備えている、項目１８に記載のインプラント。
（項目２１）
前記プレートは、追加された回転安定性および平行移動安定性のために、前記細長い部材の近位端を前記骨の外面に固定するように構成されている、項目１６に記載のインプラント。
（項目２２）
前記第１のプレートは、１つ以上の貫通孔を備え、前記１つ以上の貫通孔は、前記プレートを前記骨の外面に固定するための骨ねじを受け取るように構成されている、項目１１に記載のインプラント。
（項目２３）
前記係止機構は、一緒に結合された骨構成要素と係止構成要素とを備え、それらは、前記骨の近位端に取り付けられるように構成されている、項目１に記載のインプラント。
（項目２４）
前記骨構成要素および係止構成要素は、プレス嵌め篏合特徴を通して結合されるように構成されている、項目２３に記載のインプラント。
（項目２５）
前記骨構成要素および係止構成要素は、ねじ式で係合するように構成されている、項目２３に記載のインプラント。
（項目２６）
前記骨構成要素は、カニューレを挿入されるねじを備え、前記ねじは、前記細長い部材を受け取るように構成され、前記ねじは、固定のために骨とねじ式で係合する、項目２３に記載のインプラント。
（項目２７）
前記骨構成要素は、係止構成要素と篏合し、前記係止構成要素を圧縮するように構成された形状の内部カニューレ挿入管を備えている、項目２６に記載のインプラント。
（項目２８）
前記内部カニューレ挿入管は、内向きにテーパ状である、項目２７に記載のインプラント。
（項目２９）
前記内部カニューレ挿入管は、タブ特徴を備えている、項目２７に記載のインプラント。
（項目３０）
前記係止構成要素は、前記骨構成要素の内側に嵌まるように構成され、前記係止構成要素は、前記細長い部材を受け取るためにカニューレを挿入される、項目２３に記載のインプラント。
（項目３１）
前記係止構成要素は、１つ以上の特徴を備え、前記１つ以上の特徴は、前記骨ねじの内部カニューレ挿入管と相互作用し、前記係止構成要素が狭くなり、前記細長い部材を把持することを引き起こすように構成されている、項目３０に記載のインプラント。
（項目３２）
前記把持特徴は、前記係止構成要素の周りに円周方向に構成されているタブを備えている、項目３１に記載のインプラント。
（項目３３）
前記把持特徴は、前記係止構成要素本体から主軸と平行に延びているタンを備え、前記タンは、前記係止構成要素の周りに円周方向に構成されている、項目３１に記載のインプラント。
（項目３４）
前記骨構成要素は、中空の内部ねじ山付きねじ頭を伴うねじであり、前記ねじは、貫通孔を備え、前記貫通孔は、前記主軸と垂直であり、前記ねじ頭を貫通するように構成されている、項目２３に記載のインプラント。
（項目３５）
前記係止構成要素は、外部ねじ山付きワッシャである、項目２３に記載のインプラント。
（項目３６）
前記骨構成要素貫通孔は、前記細長い部材を受け取るように構成され、前記骨構成要素頭部は、前記係止構成要素が前記骨構成要素にねじ式で係合するとき、前記係止構成要素が前記細長い部材を圧縮するように、前記係止構成要素を受け取るように構成されている、項目３４および３５のいずれかに記載のインプラント。
（項目３７）
前記骨構成要素および係止構成要素は、追加された回転安定性および平行移動安定性のために、前記細長い部材の運動を制限するように構成されている、項目２３に記載のインプラント。
（項目３８）
前記係止機構は、前記骨の近位端に取り付けられるように構成されているアンカを備えている、項目１に記載のインプラント。
（項目３９）
前記アンカは、前記細長い部材を受け取るためにカニューレを挿入され、固定のために骨の中に駆動されるように構成されている、項目３８に記載のインプラント。
（項目４０）
前記アンカは、増加した固定のために１つ以上の半径方向に広がるウィングを備えている、項目３８に記載のインプラント。
（項目４１）
前記アンカは、前記アンカの周りに円周方向に構成された１つ以上の圧着タブを備え、前記１つ以上の圧着タブは、骨との接触時に内向きに曲がり、前記細長い部材を把持することによって、前記アンカに対する前記細長い部材の移動を防止する、項目３８に記載のインプラント。
（項目４２）
前記アンカは、前記アンカの周りに円周方向に構成された１つ以上の回転防止タブを備え、前記１つ以上の回転防止タブは、前記骨を把持することによってアンカ回転を防止する外部突出を有する、項目３８に記載のインプラント。
（項目４３）
前記アンカは、追加された回転安定性および平行移動安定性のために、前記細長い部材の運動を制限するように構成されている、項目３８に記載のインプラント。
（項目４４）
前記係止機構は、半径方向に拡張し、前記骨の近位端に定着する前記細長い部材の近位端を備えている、項目１に記載のインプラント。
（項目４５）
前記細長い部材の近位端は、拡張状態と、非拡張状態とを有する、項目４４に記載のインプラント。
（項目４６）
前記細長い部材の近位端は、自然にその拡張状態にあり、前記細長い部材の近位端は、拡張が抑止された状態で埋め込まれる、項目４４に記載のインプラント。
（項目４７）
前記細長い部材の近位端は、自然にその非拡張状態にある、項目４４に記載のインプラント。
（項目４８）
前記細長い部材の近位端は、手動で拡張可能である、項目４７に記載のインプラント。
（項目４９）
前記細長い部材は、前記遠位先端における隣接したアーム間にスライド可能に配置されたピンを用いて拡張され、前記ピンの作動は、互いから離れるように前記アームを拡張し、前記近位先端を拡張する、項目４８に記載のインプラント。
（項目５０）
前記細長い部材の近位端は、形状記憶材料を備え、前記形状記憶材料は、前記材料の温度性質を通して拡張される、項目４７に記載のインプラント。
（項目５１）
前記細長い部材の近位端は、塑性変形を通して拡張される、項目４７に記載のインプラント。
（項目５２）
前記細長い部材は、前記近位端から遠位に延びている１つ以上の貫通スロットを備え、前記１つ以上の貫通スロットは、弓形形状に曲がることができる２つ以上のアームを形成するように構成されている、項目４４に記載のインプラント。
（項目５３）
前記延びているアームは、改良された骨固定のために１つ以上の溝を備えている、項目５２に記載のインプラント。
（項目５４）
前記細長い部材の近位端は、前記部材の長さに沿った任意の点および前記部材の周りに円周における任意の点における１つ以上の切り抜きを備え、前記１つ以上の切り抜きは、弓形形状に曲がることができる１つ以上の延長された部分を形成するように構成されている、項目４４に記載のインプラント。
（項目５５）
前記延びている部分は、改良された骨固定のために１つ以上の溝を備えている、項目５４に記載のインプラント。
（項目５６）
前記細長い部材の近位端は、円錐形状に拡張される半径方向に拡張可能なコイルを備えている、項目４４に記載のインプラント。
（項目５７）
前記細長い部材の前記近位コイルは、前記細長い部材に溶接されている、項目５６に記載のインプラント。
（項目５８）
前記細長い部材の前記近位コイルは、接着剤を使用して前記細長い部材に取り付けられている、項目５６に記載のインプラント。
（項目５９）
前記近位端の半径方向拡張は、追加された回転安定性および平行移動安定性のために、前記細長い部材の運動を制限するように構成されている、項目４４に記載のインプラント。
（項目６０）
前記細長い部材の遠位端は、拡張状態と、非拡張状態とを有する、項目１に記載のインプラント。
（項目６１）
前記細長い部材の遠位端は、自然にその拡張状態にあり、前記細長い部材の遠位端は、拡張が抑止された状態で埋め込まれる、項目１に記載のインプラント。
（項目６２）
前記細長い部材の遠位端は、自然にその非拡張状態にある、項目１に記載のインプラント。
（項目６３）
前記細長い部材の遠位端は、手動で拡張可能である、項目１に記載のインプラント。
（項目６４）
前記細長い部材は、前記遠位先端における隣接したアーム間にスライド可能に配置されたピンを用いて拡張され、前記ピンの作動は、互いから離れるように前記アームを拡張し、前記遠位先端を拡張する、項目６３に記載のインプラント。
（項目６５）
前記細長い部材の遠位端は、形状記憶材料を備え、前記形状記憶材料は、前記材料の温度性質を通して拡張される、項目１に記載のインプラント。
（項目６６）
前記細長い部材の遠位端は、塑性変形を通して拡張される、項目１に記載のインプラント。
（項目６７）
前記細長い部材は、前記遠位端から近位に延びている１つ以上の貫通スロットを備え、前記１つ以上の貫通スロットは、弓形形状に曲がることができる２つ以上のアームを形成するように構成されている、項目１に記載のインプラント。
（項目６８）
前記延びているアームは、改良された骨固定のために１つ以上の溝を備えている、項目６７に記載のインプラント。
（項目６９）
前記細長い部材の遠位端は、前記部材の長さに沿った任意の点および前記部材の周りに円周における任意の点における１つ以上の切り抜きを備え、前記１つ以上の切り抜きは、弓形形状に曲がることができる１つ以上の延長された部分を形成するように構成されている、項目１に記載のインプラント。
（項目７０）
前記延びている部分は、改良された骨固定のために１つ以上の溝を備えている、項目６８に記載のインプラント。
（項目７１）
前記細長い部材の遠位端は、曲線形状に構成されている、項目１に記載のインプラント。
（項目７２）
前記遠位端は、円形形状に構成されている、項目７１に記載のインプラント。
（項目７３）
前記遠位端は、蛇行した正弦曲線形状に構成されている、項目７１に記載のインプラント。
（項目７４）
前記遠位端は、湾曲またはＪ字形状に構成されている、項目７１に記載のインプラント。
（項目７５）
前記細長い部材の遠位端は、円錐形状に拡張される半径方向に拡張可能なコイルを備えている、項目１に記載のインプラント。
（項目７６）
前記細長い部材の前記遠位コイルは、前記細長い部材に溶接されている、項目７５に記載のインプラント。
（項目７７）
前記細長い部材の前記遠位コイルは、接着剤を使用して前記細長い部材に取り付けられている、項目７５に記載のインプラント。
（項目７８）
前記細長い部材は、前記細長い部材の長さを調節するために縦方向に拡張可能かつ短縮可能であり、それによって、前記遠位端と近位端とを互いに向かって内向きに引き寄せ、骨折整復を補助する、項目１に記載のインプラント。
（項目７９）
前記細長い部材は、２つの入れ子式構成要素を備えている、項目７８に記載のインプラント。
（項目８０）
前記２つの構成要素は、ラチェット機構を用いて一緒に結合され、前記ラチェット機構は、前記２つの細長い部材が互いに対して入れ子式に短縮されることを可能にするが、互いに対して入れ子式に延長されることを可能にしない、項目７９に記載のインプラント。
（項目８１）
前記細長い部材は、その中心に沿った縦方向スロットを備え、前記縦方向スロットは、中心部分が半径方向外向きに拡張し、前記近位端と遠位端とを引き込むことを可能にする、項目７８に記載のインプラント。
（項目８２）
前記細長い部材は、その端部において半径方向に拡張される中空織物メッシュを備えている、項目１に記載のインプラント。
（項目８３）
前記細長い部材は、入れ子式管状構成要素と、留め具構成要素とを備え、前記管状構成要素の近位端は、壁が半径方向外向きに広がるように崩れる、項目１に記載のインプラント。
（項目８４）
前記構成要素は、ねじ式で係合される、項目８３に記載のインプラント。
（項目８５）
前記細長い部材は、その縦軸に沿って配置された１つ以上の拡張部材を備えている、項目１に記載のインプラント。
（項目８６）
前記拡張部材の各々は、近位または遠位に面する弓形形状に拡張することができる、項目８５に記載のインプラント。
（項目８７）
長骨骨折固定のための器具セットであって、前記器具セットは、
錐器具と、
リーマ器具と、
挿入装置器具と、
ドライバ器具と、
カッタ器具と、
除去器具と
のうちのいずれか１つを備えている、器具セット。
（項目８８）
前記錐器具は、ハンドルと、鋭い尖端を伴うシャフトとを備えている、項目８７に記載の器具。
（項目８９）
前記錐器具の尖端は、曲線状である、項目８８に記載の器具。
（項目９０）
前記リーマ器具は、ハンドルと、一方の端部上に切断溝を伴うシャフトとを備えている、項目８７に記載の器具。
（項目９１）
前記挿入装置器具は、前記細長い部材を受け取るカニューレ挿入管を備えている、項目８７に記載の器具。
（項目９２）
前記挿入装置器具は、一方の端部上に中空シースを備えている、項目９１に記載の器具。
（項目９３）
前記中空シースは、前記先端上にリーミング溝を有する、項目９２に記載の器具。
（項目９４）
前記中空シースは、可撓な部材である、項目９２に記載の器具。
（項目９５）
前記中空シースは、前記細長い部材を受け取り、その非拡張形態で前記細長い部材を拘束するように構成されている、項目９２に記載の器具。
（項目９６）
前記挿入装置は、前記細長い部材に対してクランプ締めするための特徴を備えている、項目９１に記載の器具。
（項目９７）
前記クランプ締め特徴は、ねじ山付きノブによって作動される、項目９１に記載の器具。
（項目９８）
前記ドライバ器具は、１つ以上の駆動端を備えている、項目８７に記載の器具。
（項目９９）
前記ドライバ器具は、トルクス（登録商標）ドライバを備えている、項目９８に記載の器具。
（項目１００）
前記ドライバ器具は、ねじ山付きドライバを備えている、項目９８に記載の器具。
（項目１０１）
前記カッタ器具は、剪断力を用いてワイヤまたはロッドを切断するために相互作用する１つ以上の構成要素を備えている、項目８７に記載の器具。
（項目１０２）
前記除去器具は、前記係止機構に係合し、前記係止機構の周囲の骨をリーミングする１つ以上の特徴を備えている、項目８７に記載の器具。
（項目１０３）
順行性または逆行性様式で患者の骨折した長骨の髄内管の中へインプラントを送達する方法であって、前記方法は、
前記骨にアクセスするための切開を作成することと、
前記骨折した骨を整復し、回転整列させることと、
前記骨の髄内管にアクセスすることと、
前記骨の長軸に沿って前記髄内管の中に前記インプラントを挿入することと、
前記髄内管の壁と係合するように前記インプラントの遠位端を半径方向に拡張することと、
前記インプラントの近位端を前記骨に係止することと
を含む、方法。
（項目１０４）
前記髄内管にアクセスすることは、錐器具を用いて前記骨を通して孔を開けることを含む、項目１０３に記載の方法。
（項目１０５）
前記髄内管にアクセスすることは、前記骨を通して孔を開けることを含む、項目１０３に記載の方法。
（項目１０６）
前記骨は、４０〜４５度の角度でアクセスされる、項目１０４または１０５に記載の方法。
（項目１０７）
髄内管の中に前記インプラントを挿入することは、挿入装置器具を用いて行われる、項目１０３に記載の方法。
（項目１０８）
前記挿入装置器具は、前記髄内管を通して経路を切り開くためのリーミング特徴を備えている、項目１０７に記載の方法。
（項目１０９）
前記挿入装置器具は、その非拡張状態で前記インプラントを挿入するためのシースを備えている、項目１０７に記載の方法。
（項目１１０）
前記挿入装置器具を半径方向に後退させることは、前記髄内管の壁と係合するように前記インプラントの遠位端を拡張する、項目１０７に記載の方法。
（項目１１１）
前記挿入装置器具およびインプラント後退させることは、前記骨折した長骨の骨折をさらに整復する、項目１０７に記載の方法。
（項目１１２）
前記挿入装置器具は、前記インプラントが前記髄内管の中に設置された後、完全に除去される、項目１０７に記載の方法。
（項目１１３）
ドライバ器具は、前記係止機構を前記細長い部材の近位端に結合する、項目１０７に記載の方法。
（項目１１４）
ドライバ器具は、前記係止機構を前記骨の近位端に取り付ける、項目１０７に記載の方法。
（項目１１５）
前記インプラントは、手動で半径方向に拡張される、項目１０３に記載の方法。
（項目１１６）
手動拡張は、一対のアーム間にピンを配置することと、前記ピンを近位に移動させ、それによって、前記アームを半径方向外向きに広げさせることとを含む、項目１１５に記載の方法。
（項目１１７）
手動拡張は、ねじ山付き機構を作動させ、それによって、前記遠位先端を半径方向に拡張することを含み、前記作動させることは、前記骨の外側で実施される、項目１１５に記載の方法。
（項目１１８）
前記インプラントは、カッタ器具を用いて切断される、項目１０３に記載の方法。
（項目１１９）
前記インプラントは、前記骨の外面と同一平面であるように切断される、項目１０３に記載の方法。
（項目１２０）
前記細長い部材の遠位端は、骨幹内で拡張する、項目１０３に記載の方法。
（項目１２１）
前記細長い部材の遠位端は、骨幹端内で拡張する、項目１０３に記載の方法。
（項目１２２）
前記細長い部材の遠位端は、骨端内で拡張する、項目１０３に記載の方法。